(57)【要約】  硫黄を分散させ、硫黄沈殿物を洗浄し、そして水系における発泡を最小化するための組成物および方法が開示される。本方法は、硫黄を含むプロセス水に第１の硫黄分散剤を添加すること、および硫黄を分散させることを含み得る。第１の硫黄分散剤は、Ｃ５−Ｃ２５アルキルポリグリコシドを含み得る。第２の硫黄分散剤もまた、プロセス水に加えることができる。第２の硫黄分散剤は、アクリル酸および２−アクリルアミド−２−メチルプロパンスルホン酸のポリマーを含み得る。【選択図】図１
2020531645.tif 000002
【特許請求の範囲】
【請求項１】
硫黄を分散させる方法であって、前記方法は、
硫黄を含有するプロセス水に第１の硫黄分散剤を添加することであって、前記第１の硫黄分散剤は、Ｃ５−Ｃ２５アルキルポリグリコシドを含む、添加すること、および
前記硫黄を分散させること、を含む、方法。
【請求項２】
第２の硫黄分散剤を前記プロセス水に添加することをさらに含む、請求項１に記載の方法。
【請求項３】
前記第２の硫黄分散剤が、アクリル酸および２−アクリルアミド−２−メチルプロパンスルホン酸を含むポリマーを含む、請求項２に記載の方法。
【請求項４】
前記プロセス水への添加の前に、前記第１の硫黄分散剤および前記第２の硫黄分散剤をブレンドして分散剤混合物を形成することをさらに含む、請求項２または３のいずれか１項に記載の方法。
【請求項５】
前記分散剤混合物が、約５重量％〜約９５重量％の前記第１の硫黄分散剤および約９５重量％〜約５重量％の前記第２の硫黄分散剤を含む、請求項４に記載の方法。
【請求項６】
前記プロセス水に消泡剤を添加することをさらに含む、請求項１〜５のいずれか１項に記載の方法。
【請求項７】
前記消泡剤は、Ｃ５−Ｃ２５アルキルアルコール、Ｃ５−Ｃ２５アルキルアルコールエトキシレート、一塩基性ステアリン酸アルミニウム、ステアリン酸、ポリジメチルシロキサン、モノステアリン酸ソルビタン、水和シリカ、エトキシル化モノステアリン酸ソルビタン、キサンタンガム、アモルファスシリカ、およびそれらの任意の組み合わせから選択される、請求項６に記載の方法。
【請求項８】
前記消泡剤が、ポリジメチルシロキサンおよびモノステアリン酸ソルビタンを含む、請求項６〜７のいずれか１項に記載の方法。
【請求項９】
前記第１の硫黄分散剤がＣ１０−１６アルキルポリグリコシドを含む、請求項１〜８のいずれか１項に記載の方法。
【請求項１０】
前記第１の硫黄分散剤が、Ｃ１０−１６アルキルポリグリコシドおよびＣ８−１０アルキルポリグリコシドを含む、請求項１〜９のいずれか１項に記載の方法。
【請求項１１】
前記ポリマーが約５０〜７０重量％のアクリル酸および約３０〜５０重量％の２−アクリルアミド−２−メチルプロパンスルホン酸を含む、請求項３に記載の方法。
【請求項１２】
前記ポリマーが、約５，０００Ｄａ〜約５０，０００Ｄａの重量平均分子量を含む、請求項３〜１１のいずれか１項に記載の方法。
【請求項１３】
前記第１の硫黄分散剤が、約１ｐｐｍ〜約１０００ｐｐｍの量で前記プロセス水に添加される、請求項１〜１２のいずれか１項に記載の方法。
【請求項１４】
前記第２の硫黄分散剤が、約２ｐｐｍ〜約１００ｐｐｍの量で前記プロセス水に添加される、請求項２〜１３のいずれか１項に記載の方法。
【請求項１５】
前記第１の硫黄分散剤が、約１ｐｐｍ〜約１０ｐｐｍの量で前記プロセス水に添加される、請求項１〜１４のいずれか１項に記載の方法。
【請求項１６】
前記プロセス水が地熱冷却水または地熱凝縮物である、請求項１〜１５のいずれか１項に記載の方法。
【請求項１７】
前記硫黄が元素硫黄である、請求項１〜１６のいずれか１項に記載の方法。
【請求項１８】
硫黄を分散させるための地熱冷却水における第１の分散剤の使用であって、前記第１の分散剤が、Ｃ５−Ｃ２５アルキルポリグリコシドを含む、第１の分散剤の使用。
【請求項１９】
地熱冷却水の中に硫黄を分散させる方法であって、前記方法は、
硫黄を含有する前記地熱冷却水にＣ５−Ｃ２５アルキルポリグリコシドを含む第１の硫黄分散剤を添加すること、
アクリル酸および２−アクリルアミド−２−メチルプロパンスルホン酸を含むポリマーを含む第２の硫黄分散剤を前記地熱冷却水に添加すること、および
前記硫黄を分散させること、を含む、方法。
【請求項２０】
前記第１の硫黄分散剤が、前記第２の硫黄分散剤の前、前記第２の硫黄分散剤の後に、および／または前記第２の硫黄分散剤との混合物として添加される、請求項１９に記載の方法。
【発明の詳細な説明】
【技術分野】
【０００１】
本発明は、一般に硫黄を分散することに関する。より具体的には、本開示は、水系において硫黄を分散させ、発泡を最小化するための組成物および方法に関する。
【背景技術】
【０００２】
地熱エネルギーは、地球内部内の熱の形態のエネルギーであり、地熱井を使用して開発することができる。地球内部は、莫大な供給量の熱を含有するが、エネルギー生成のための熱の抽出には課題が残っている。地熱エネルギーは、岩盤を通じた熱伝導によって、地表に向かって移動している。熱エネルギーはまた、溶岩の移動、または相互接続した亀裂および孔を通じた流体（蒸気もしくは水としてのＨ２Ｏ）の循環によって、地表に向かって伝達され得る。いずれの場合も、地熱井は、比較的深い井戸である。
【０００３】
地熱ブラインおよび蒸気は、一般に、エネルギー源として使用される。地熱ブラインは、発電、加熱、および電気のプロセスにおいて使用される。地熱蒸気の温度は、約１８５℃〜約３７０℃（約３６５°Ｆ〜約７００°Ｆ）の範囲である。蒸気は、フラッシングユニットを使用してブラインから分離される。低温ブラインはまた、電気二元ユニット（二次流体ユニット）を生産するためにも使用することができる。地熱ブラインは、約１０００ｐｐｍ未満〜数十万ｐｐｍの塩分、および約６パーセントまでの非凝縮性ガスの含有量を有し得る。塩含有量および用途に応じて、地熱流体は、直接的に、または二次流体サイクルを介して、使用することができる。他のエネルギー源の存在量が減り、それらがより高価になるにつれて、エネルギー源としての地熱エネルギーの使用は、重要性を増している。これは、持続可能で再生可能なエネルギー源であり、他の再生可能エネルギー源とは異なり、地熱エネルギーは、常に利用可能である。
【０００４】
鉱物堆積は、地熱エネルギーの生産において遭遇される厳しい条件下での主要な問題であり、地熱地帯の開発を制限する要因であり得る。熱水卓越型貯留層の沸騰する地熱流体に由来する鉱物堆積は、特に問題である。
【０００５】
硫化水素（Ｈ２Ｓ）は、流体の天然に存在する汚染物質であるか、または硫黄還元細菌によって生成される。Ｈ２Ｓの腐食性は、粒子状硫化鉄の蓄積を引き起こす。硫化鉄を含む鉄化合物は、ガス、石油、水、およびガスと石油と水との混合物を輸送するパイプライン網内で形成され得る。硫化鉄化合物は、水を吸収することができる無定形固体粒子のような外見であることを物理的特徴とする。
【０００６】
硫化水素は酸化して、硫黄を生成し、汚損を引き起こす可能性がある。酸化されたＨ２Ｓは、硫化物または硫黄化合物を含むプロセス水と接触するプロセス機器の表面に堆積する沈殿物またはスケールを形成する。元素硫黄は、Ｈ２Ｓの酸化および水中の微生物の存在に由来する。元素硫黄は、堆積物を形成し、地熱冷却水を処理するプロセス機器の汚れを引き起こす可能性がある。
【０００７】
地熱産業において、凝縮蒸気は、一般に、冷却システムへの補給水として使用される。凝縮した蒸気は、Ｈ２Ｓ、アンモニア、二酸化炭素などの不純物を含む。直接接触凝縮システムは、一般的に地熱発電所で使用される。直接接触凝縮システムにおいて、冷却剤を蒸気と直接接触させることができ、この種類の冷却システムは、蒸気および冷却剤を一緒に混合できる用途に適している。直接接触凝縮システムの例には、スプレーコンデンサー、バッフル塔、充填塔、ジェットコンデンサー、およびスパージパイプが含まれるが、これらに限定されない。蒸気および冷却水の混合物は凝縮システムと直接接触しているので、冷却水はＨ２Ｓで汚染される。この硫化物汚染は、地熱冷却水中の生物酸化および生物汚損による硫黄の堆積をもたらす。
【０００８】
元素硫黄は、化学的手段と生化学的手段の両方を介して地熱冷却水中に形成する。Ｈ２Ｓからの硫黄の化学的形成は、水中の酸素または添加された酸化剤のいずれかによる直接酸化を通して起こり、酸化反応は温度とｐＨに依存する。生化学的手段を通してのＳ０の形成ははるかに複雑であり、関与する細菌種に依存して多数の反応経路を介して進行する可能性がある。Ｈ２Ｓから元素硫黄の形成を制御することは、微生物変換と比較して化学変換の場合においてより困難になる可能性がある。微生物変換は、有効な殺生物剤の使用を介してある程度制御できる。
【０００９】
微生物学的な硫黄酸化は、元素硫黄の形成を生じ、これは、細菌細胞内に内部的に、または結晶として外部的に堆積する。外部に堆積する場合、硫黄結晶は他の細菌によってコロニー形成され、細菌はさらに硫黄を酸化して硫酸塩化し、最終的に硫酸を形成する。硫酸の形成は、冷却システムの構成材料に損傷を与えるレベルにまで冷却水のｐＨの低下を生じる。
【００１０】
元素硫黄はまた、高度に疎水性であり、元素硫黄粒子が急速に凝集することおよび粘稠な堆積物の形成を引き起こす。典型的な堆積スポットには、冷却塔ノズル、冷却塔充填、直接凝縮器のスプレーノズル、および補助熱交換器が含まれる。これらの堆積物は、冷却塔の充填の崩壊、冷却効率の損失をもたらす冷却水分配配管の閉塞、凝縮性能（発電量）に影響を与える可能性のある凝縮器内のノズルの閉塞、凝縮器背圧の増加、および蒸気消費量の増加、および総運用コスト（蒸気のコストおよびメンテナンスのコスト）をもたらす可能性がある。
【発明の概要】
【００１１】
いくつかの実施形態において、硫黄を分散させる方法が開示されている。この方法は、硫黄を含む水を処理するために第１の硫黄分散剤を添加すること、および硫黄を分散させることを含み得る。第１の硫黄分散剤は、Ｃ５−Ｃ２５アルキルポリグリコシドを含み得る。
【００１２】
いくつかの実施形態において、この方法は、プロセス水に第２の硫黄分散剤を添加することを含み得る。
【００１３】
いくつかの実施形態において、この方法は、プロセス水への添加の前に、第１の硫黄分散剤および第２の硫黄分散剤をブレンドして分散剤混合物を形成することを含み得る。
【００１４】
いくつかの実施形態において、この方法は、消泡剤をプロセス水に添加することを含み得る。
【００１５】
いくつかの実施形態において、第１の硫黄分散剤は、Ｃ１０−１６アルキルポリグリコシドを含み得る。
【００１６】
いくつかの実施形態において、第１の硫黄分散剤は、Ｃ１０−１６アルキルポリグリコシドおよびＣ８−１０アルキルポリグリコシドを含み得る。
【００１７】
いくつかの実施形態において、第１の硫黄分散剤は、約１ｐｐｍ〜約１０００ｐｐｍの量でプロセス水に添加されてもよい。
【００１８】
いくつかの実施形態において、第１の硫黄分散剤は、約１ｐｐｍ〜約１０ｐｐｍの量でプロセス水に添加されてもよい。
【００１９】
いくつかの実施形態において、第２の硫黄分散剤は、アクリル酸および２−アクリルアミド−２−メチルプロパンスルホン酸を含み得るポリマーを含み得る。
【００２０】
いくつかの実施形態において、第２の硫黄分散剤は、約２ｐｐｍ〜約１００ｐｐｍの量でプロセス水に添加されてもよい。
【００２１】
いくつかの実施形態において、第２の硫黄分散剤は、約２ｐｐｍ〜約１５ｐｐｍの量でプロセス水に添加されてもよい。
【００２２】
いくつかの実施形態において、ポリマーは、約５，０００Ｄａ〜約５０，０００Ｄａの重量平均分子量を有し得る。
【００２３】
いくつかの実施形態において、ポリマーは、約５０〜７０重量％のアクリル酸および約３０〜５０重量％の２−アクリルアミド−２−メチルプロパンスルホン酸を含み得る。
【００２４】
いくつかの実施形態において、分散剤混合物は、約５重量％〜約９５重量％の第１の硫黄分散剤および約９５重量％〜約５重量％の第２の硫黄分散剤を含み得る。
【００２５】
いくつかの実施形態において、消泡剤は、Ｃ５−Ｃ２５アルキルアルコールからのＣ５−Ｃ２５アルキルアルコールエトキシレート、一塩基性ステアリン酸アルミニウム、ステアリン酸、ポリジメチルシロキサン、モノステアリン酸ソルビタン、水和シリカ、エトキシル化ソルビタンモノステアレート、キサンタンガム、アモルファスシリカ、およびそれらの任意の組み合わせから選択され得る。
【００２６】
いくつかの実施形態において、消泡剤は、ポリジメチルシロキサンおよびモノステアリン酸ソルビタンを含み得る。
【００２７】
いくつかの実施形態において、プロセス水は、地熱冷却水または地熱凝縮物であり得る。
【００２８】
いくつかの実施形態において、硫黄は元素硫黄であり得る。
【００２９】
他の実施形態では、硫黄を分散させるための地熱冷却水中の第１の分散剤の使用が開示されている。第１の分散剤は、Ｃ５−Ｃ２５アルキルポリグリコシドを含み得る。
【００３０】
特定の実施形態では、地熱冷却水中に硫黄を分散させる方法が開示されている。この方法は、硫黄を含有する地熱冷却水にＣ５−Ｃ２５アルキルポリグリコシドを含み得る第１の硫黄分散剤を添加すること、アクリル酸および２−アクリルアミド−２−メチルプロパンスルホン酸を含むポリマーを含み得る第２の硫黄分散剤を地熱冷却水に添加すること、および硫黄を分散させることを含み得る。
【００３１】
いくつかの実施形態において、第１の硫黄分散剤は、第２の硫黄分散剤の前に、第２の硫黄分散剤の後に、および／または第２の硫黄分散剤との混合物として添加される。
【００３２】
前述は、後に続く詳細な発明がより良好に理解され得ることを実施するための形態をより良く理解できるように、本開示の特徴および技術的利点を概括的に概説した。本願の特許請求の範囲の主題を形成する、本開示のさらなる特徴および利点は、以下に説明される。開示される概念および具体的な実施形態は、本開示と同じ目的を実行するための他の実施形態を修正または設計するための基礎として容易に利用できることが、当業者には理解されるべきである。そのような等価の実施形態はまた、添付の特許請求の範囲に明記される本開示の趣旨および範囲から逸脱しないことが、当業者によって認識されるべきである。
【図面の簡単な説明】
【００３３】
発明の詳細な説明を、以下の図面に対する具体的な参照とともに本明細書以下に説明する。
【００３４】
【図１】単独でおよび組み合わせての２種類の添加剤についての分散率および発泡率を示す。
【００３５】
【図２】添加剤の異なる組み合わせで処理したときの経時的な泡体積を示す。
【発明を実施するための形態】
【００３６】
様々な実施形態が以下に説明される。実施形態の様々な要素の関係性および機能については、以下の詳細な発明に対する参照によってより良好に理解することができる。しかし、実施形態は、以下に例解されるものに限定されない。特定の例では、本明細書に開示される実施形態の理解のために必要ではない詳細は、省略することができる。
【００３７】
分散剤、特に生体分散剤は、界面活性剤の特性を有し、本質的に発泡している。発泡は、発電システムの真空の損失を生じ、発電所の運転休止を生じるので、これは、直接接触型の凝縮用途においては受け入れられない。
【００３８】
元素硫黄は、硫黄分散剤を使用して分散できるが、しかし、分散剤は著しい発泡形成を引き起こす可能性がある。発泡形成は、一部の産業プロセスにおいて、とりわけ、地熱冷却塔において重大な問題を引き起こす。本開示の主題は、水系における硫黄汚損および分散剤泡生成に対処する。具体的には、この主題は、発泡生成を最小化しながら硫黄を分散させる組成物および方法を開示する。
【００３９】
一般的に、硫黄沈殿物の汚損は、既存の沈殿物を洗浄するか、それらの形成を防ぐことで対処できる。本明細書に開示される組成物および方法は、既存の硫黄沈殿物を洗浄する際に、および硫黄沈殿物の形成を防止または抑制する際に有効である。硫黄沈殿物を洗浄することおよび防止することに加えて、本明細書に開示される組成物および方法は、処理されたプロセス水中の発泡形成を低減するために有効である。
【００４０】
いくつかの実施形態において、硫黄を分散させる方法が開示されている。この方法は、硫黄を含む水を処理するために第１の硫黄分散剤を添加すること、および硫黄を分散させることを含み得る。第１の硫黄分散剤は、Ｃ５−Ｃ２５アルキルポリグリコシドを含み得る。アルキルポリグリコシドは非イオン性であり、親水性糖、および疎水性である可変炭素鎖長のアルキル基を含み得る。本明細書で使用される「分散する」および「分散すること」とは、流体中で固体を懸濁させること、表面から固体を除去すること、または流体懸濁液中で固体を維持することを意味する。
【００４１】
他に示されない限り、本明細書に記載される「アルキル」基は、単独でまたは別の基の一部として、任意に置換された直鎖飽和一価炭化水素基、または任意に置換された分岐飽和一価炭化水素基である。直鎖または分岐鎖アルキル基は、１個または３個〜３２個までの炭素原子を有することができる。非置換アルキル基の例としては、メチル、エチル、ｎ−プロピル、ｉ−プロピル、ｎ−ブチル、ｉ−ブチル、ｓ−ブチル、ｔ−ブチル、ｎ−ペンチル、ｉ−ペンチル、ｓ−ペンチル、ｔ−ペンチルなどが挙げられる。
【００４２】
いくつかの実施形態においては、第１の硫黄分散剤は、Ｃ１０−１６アルキルポリグリコシドを含み得る。特定の実施形態において、第１の硫黄分散剤は、Ｃ１２アルキルポリグリコシド、Ｃ１３アルキルポリグリコシド、Ｃ１４アルキルポリグリコシド、Ｃ１５アルキルポリグリコシド、Ｃ１６アルキルポリグリコシド、およびそれらの任意の組み合わせであり得る。
【００４３】
いくつかの実施形態において、第１の硫黄分散剤は、Ｃ１０−１６アルキルポリグリコシドおよびＣ８−１０アルキルポリグリコシドなどの異なるアルキル鎖長を有する２つのアルキルポリグリコシドの混合物であり得る。第１の硫黄分散剤が２つ以上のアルキルポリグリコシドの混合物である場合、アルキルポリグリコシドは同じまたは異なる場所で別々に添加されてもよく、プロセス水への添加の前に一緒に混合されてもよい。特定の実施形態では、第１の硫黄分散剤は、水、Ｃ１０−１６アルキルポリグリコシド、およびＣ８−１０アルキルポリグリコシドからなる。
【００４４】
いくつかの実施形態において、第１の硫黄分散剤は、約０．０１ｐｐｍ〜約１０００ｐｐｍ、約０．０１ｐｐｍ〜約５００ｐｐｍ、約０．０１ｐｐｍ〜約２５０ｐｐｍ、約０．０１ｐｐｍ〜約１５０ｐｐｍ、約０．０１ｐｐｍ〜約５０ｐｐｍ、約０．０１ｐｐｍ〜約２５ｐｐｍ、約０．０１ｐｐｍ〜約５ｐｐｍ、または約０．１ｐｐｍ〜約２ｐｐｍの量でプロセス水に添加されてもよい。いくつかの実施形態において、第１の硫黄分散剤は、約１ｐｐｍ〜約１０ｐｐｍの量でプロセス水に添加されてもよい。
【００４５】
いくつかの実施形態において、この方法は、プロセス水に第２の硫黄分散剤を添加することを含み得る。第２の硫黄分散剤は、第１の硫黄分散剤と同時に添加されてもよい。
【００４６】
いくつかの実施形態において、第２の硫黄分散剤は、アクリル酸および２−アクリルアミド−２−メチルプロパンスルホン酸を含み得るポリマーであり得る。
【００４７】
いくつかの実施形態において、第２の硫黄分散剤は、約５０〜７０重量％のアクリル酸および約３０〜５０重量％の２−アクリルアミド−２−メチルプロパンスルホン酸を含むポリマーであり得る。
【００４８】
いくつかの実施形態において、第２の硫黄分散剤は、約２ｐｐｍ〜約１００ｐｐｍの量でプロセス水に添加されてもよい。いくつかの実施形態において、第２の硫黄分散剤は、約０．１ｐｐｍ〜約１０００ｐｐｍ、約０．１ｐｐｍ〜約５００ｐｐｍ、約０．１ｐｐｍ〜約２５０ｐｐｍ、約０．１ｐｐｍ〜約１５０ｐｐｍ、約０．１ｐｐｍ〜約５０ｐｐｍ、約０．１ｐｐｍ〜約２５ｐｐｍ、または約０．１ｐｐｍ〜約５ｐｐｍの量でプロセス水に添加されてもよい。いくつかの実施形態において、第２の硫黄分散剤は、約２ｐｐｍ〜約１５ｐｐｍの量でプロセス水に添加されてもよい。
【００４９】
いくつかの実施形態において、ポリマーは、約５，０００Ｄａ〜約５０，０００Ｄａの重量平均分子量を有し得る。いくつかの実施形態において、ポリマーは約２０，０００Ｄａの重量平均分子量を有し得る。
【００５０】
いくつかの実施形態において、この方法は、プロセス水に添加する前に、第１の硫黄分散剤と第２の硫黄分散剤をブレンドして分散剤混合物を形成することを含むことができる。いくつかの実施形態において、分散剤混合物は水を含むことができる。分散剤混合物は、硫酸ナトリウムおよび亜硫酸水素ナトリウムを含んでもよい。特定の実施形態において、分散剤混合物は、水、第１の硫黄分散剤、および第２の硫黄分散剤からなる。
【００５１】
いくつかの実施形態において、分散剤混合物は、約５重量％〜約９５重量％の第１の硫黄分散剤および約９５重量％〜約５重量％の第２の硫黄分散剤を含むことができる。特定の実施形態において、プロセス水に添加される第１の硫黄分散剤および第２の硫黄分散剤の相対重量は、約１：１０〜約１０：１、約１：１０〜約１：１、または約１：５〜約１：１の範囲であり得る。いくつかの実施形態において、プロセス水に添加される第１の硫黄分散剤と第２の硫黄分散剤の重量比は約１：３であり得る。
【００５２】
いくつかの実施形態において、この方法は、消泡剤をプロセス水に添加することを含み得る。消泡剤の例には、Ｃ５−Ｃ２５アルキルアルコール、Ｃ５−Ｃ２５アルキルアルコールエトキシレート、一塩基性ステアリン酸アルミニウム、ステアリン酸、ポリジメチルシロキサン、ソルビタンモノステアレート、水和シリカ、エトキシ化ソルビタンモノステアレート、キサンタンガム、およびアモルファスシリカが含まれるが、これらに限定されない。いくつかの実施形態において、消泡剤には、水、ポリジメチルシロキサン、およびモノステアリン酸ソルビタンが含まれ得る。他の実施形態では、消泡剤は、水、ポリジメチルシロキサン、モノステアリン酸ソルビタン、水和シリカ、モノステアリン酸エトキシル化ソルビタン、およびキサンタンガムからなり得る。
【００５３】
いくつかの実施形態において、消泡剤は、約０．００１ｐｐｍ〜約１００ｐｐｍの量でプロセス水に添加されてもよい。いくつかの実施形態において、消泡剤は、約０．００１ｐｐｍ〜約１０ｐｐｍ、約０．００１ｐｐｍ〜約５ｐｐｍ、約０．０１ｐｐｍ〜約１０ｐｐｍ、約０．０５ｐｐｍ〜約５ｐｐｍ、約０．０５ｐｐｍ〜約２ｐｐｍ、約０．０５ｐｐｍ〜約１０ｐｐｍ、または約０．１ｐｐｍ〜約１ｐｐｍの量でプロセス水に添加され得る。
【００５４】
いくつかの実施形態において、プロセス水は、地熱冷却水または地熱凝縮物であり得る。
【００５５】
いくつかの実施形態において、硫黄は元素硫黄であり得る。
【００５６】
他の実施形態では、硫黄を分散させるための地熱冷却水中の第１の分散剤の使用が開示されている。第１の分散剤は、Ｃ５−Ｃ２５アルキルポリグリコシドを含み得る。使用は、硫黄を分散させて発泡を低減するために第２の硫黄分散剤を使用することも含み得る。
【００５７】
特定の実施形態では、地熱冷却水中に硫黄を分散させる方法が開示されている。この方法は、硫黄を含む地熱冷却水に第１の硫黄分散剤を添加すること、第２の硫黄分散剤を地熱冷却水に追加すること、および硫黄を分散させることを含み得る。
【００５８】
いくつかの実施形態において、分散剤混合物、第１の分散剤、または第２の分散剤は、硫化水素消去剤、腐食抑制剤、ガス水和物抑制剤、殺生物剤、界面活性剤、溶媒、不活性トレーサー、またはそれらの任意の組み合わせなどの追加の添加剤を含み得る。
【００５９】
他の実施形態では、本組成物は、１つ以上の腐食抑制剤、１つ以上の他のスケール抑制剤、１つ以上の蛍光トレーサー、１つ以上の水処理ポリマー、１つ以上のポリアルコキシ化合物、または任意の他の好適な添加剤または追加の成分を含み得る。代替的な実施形態では、そのような添加剤は、本明細書に開示される分散剤と同時に添加されても、連続的に添加されてもよい。
【００６０】
いくつかの実施形態において、本組成物は、不活性トレーサーを含めることができ、これを３Ｄ  ＴＲＡＳＡＲ（登録商標）技術（Ｅｃｏｌａｂ，Ｉｎｃ．から入手可能）などの蛍光トレーサー技術と適合するようにする。他の実施形態では、不活性蛍光トレーサーは本組成物中に含められて、投与量レベルを決定する手段を提供することができる。既知の割合の蛍光トレーサーは、分散剤または消泡剤と同時にまたは連続的に添加することができる。有効な不活性蛍光トレーサーは、系内の他の成分と化学的に非反応性であり、かつ経時的に著しく劣化しない物質を含み得る。
【００６１】
代表的な不活性蛍光トレーサーには、フルオレセインまたはフルオレセイン誘導体；ローダミンまたはローダミン誘導体；ナフタレンスルホン酸（モノ、ジ、トリなど）；ピレンスルホン酸（モノ、ジ、トリ、テトラなど）；スルホン酸を含有するスチルベン誘導体（蛍光増白剤を含む）；ビフェニルスルホン酸；フェニルアラニン；トリプトファン；チロシン；ビタミンＢ２（リボフラビン）；ビタミンＢ６（ピリドキシン）；ビタミンＥ（ａ−トコフェロール）；エトキシキン；カフェイン；バニリン；ナフタレンスルホン酸ホルムアルデヒド縮合ポリマー；フェニルスルホン酸ホルムアルデヒド縮合物；リグニンスルホン酸；多環芳香族炭化水素；アミン官能基、フェノール官能基、スルホン酸官能基、カルボン酸官能基を任意の組み合わせで含有する（多）環芳香族炭化水素；Ｎ、Ｏ、またはＳを有する（多）複素環芳香族炭化水素；ナフタレンスルホン酸、ピレンスルホン酸、ビフェニルスルホン酸、またはスチルベンスルホン酸のうちの少なくとも１つの部分を含有するポリマーが含まれる。
【００６２】
特定の実施形態では、鉄触媒はプロセス水に添加できる。他の実施形態では、鉄触媒はプロセス水に添加されない。鉄触媒は、鉄塩、鉄錯体、またはそれらの組み合わせを含むことができる。鉄触媒は、例えば、硫酸第一鉄、硫酸第二鉄、塩化第二鉄、グルコン酸第一鉄、硝酸第二鉄、水酸化鉄（ＩＩＩ）［ＦｅＯ（ＯＨ）］、塩化第一鉄、ヨウ化第一鉄、硫化鉄、鉄４−シクロヘキシル−酪酸、酸化第二鉄、臭化第二鉄、フッ化第一鉄、鉄粉、酢酸第一鉄、シュウ酸第一鉄、シュウ酸第二鉄などであり得る。
【００６３】
特定の実施形態では、過酸化水素がプロセス水に添加され得る。他の実施形態では、過酸化水素はプロセス水に添加されない。
【実施例１】
【００６４】
実施例１
【００６５】
元素硫黄は、硫化物を次亜塩素酸ナトリウム（漂白剤）で酸化することにより、その場で合成した。分散は透過率測定に基づいて計算した。分散効率は、次の式を使用して計算した。分散効率％＝（Ｔｂｌａｎｋ−ｆｉｎａｌ）／（Ｔｂｌａｎｋ−Ｔ０）ここで、Ｔｂｌａｎｋはブランクテストの最終透過率、Ｔ０はブランクテストの最低透過率、Ｔｆｉｎａｌは、分散剤を用いたテストの最終透過率（約３日間のインキュベーション時間）であった。
【００６６】
その場で元素硫黄を生成するために、約４８９ｍｌの脱イオン水をボトルに加え、必要な量の硫化物溶液および漂白剤溶液を上記ビーカーに加えて、約５ｐｐｍの硫化物および約１１ｐｐｍの遊離塩素溶液を得た。溶液を約３０秒間撹拌した。
【００６７】
次に、必要な量の分散剤溶液を元素硫黄を含むボトルに加え、さらに約３０秒間撹拌して溶液を混合した。表１に、テストしたさまざまな分散剤組成物を示す。ｐＨを約６．５に調整し、次に撹拌を停止し、ボトルを室温に維持した。同時に、いかなる分散剤も使用しないブランクテストを設定した。
【００６８】
１時間後にブランク溶液の透過率を測定した。通常、硫黄が沈殿しているがボトルの底にまだ沈殿していない間、最低の透過率は１時間で現れる。約３日後、透過率を測定し、記録した。
2020531645.tif 000003
【００６９】
表２は、透過率を硫黄の分散効率とともに要約する。空のサンプルを除き、他の全てのサンプルには１０ｐｐｍの有効成分が含まれている。全てのテストは、再現性を確認するために二重に実行した。
2020531645.tif 000004
【００７０】
別の実験を行って、添加物１と添加物３の組み合わせをテストした。表３は、添加物１と３の組み合わせに対する透過率および元素硫黄の分散、ならびにそれらの個々の結果をまとめたものである。
2020531645.tif 000005
【００７１】
実施例２
【００７２】
各分散物組成物によって生成される発泡の量もまた試験した。約１０ｐｐｍ（活性）添加物３を背の高いメスシリンダー内の約５００ｍｌの水に加えた。窒素ガス（Ｎ２）を一定流量で約３分間溶液にパージした。Ｎ２パージによって、泡が形成し、シリンダー内のサンプルの総量が増加する。約３分後、サンプルの高さ（体積）を測定し、発泡の％増加を計算した。表４に、各テストの初期体積および最終体積ならびに発泡の増加率を示す。図１は、分散率および発泡率が、添加物単独と比較して、添加剤１および添加剤３の組み合わせによってどのように影響されるかを示す。
2020531645.tif 000006
【００７３】
添加物３の約２．５ｐｐｍの活性成分と添加剤１の約７．５ｐｐｍの活性成分のブレンドは、発泡が有意に少なかった（添加物３単独より約６０％減少）が、添加物３と比較して分散能力が約８％低下しただけであった。
【００７４】
実施例３
【００７５】
添加物のさまざまな組み合わせを使用して、発泡高さおよび発泡密度をテストした。消泡剤、添加物７を、添加物３および添加物１と組み合わせてテストした。約４００ｍｌの溶液をメスシリンダーに加え、この溶液に約３分間一定流量で窒素をパージした。窒素パージは液体表面に泡を生成し、泡の高さはメスシリンダーのマーキングから決定できる。泡の高さは特定の時間間隔で記録した。図２および表５は、添加物１、添加物３、および添加物７の組み合わせにより、泡の体積が著しく減少したことを示す。
2020531645.tif 000007
【００７６】
実施例４
【００７７】
添加物３の洗浄速度を市販製品ＢＣＰ２１７５の洗浄速度と比較した。ＢＣＰ２１７５は、アルキルアミド加水分解物、プロピレングリコール（ＣＡＳ５７−５５−６）、および水を含む。硫黄沈殿物を有するノズルの重量を測定し、一定の温度とｐＨに維持された水タンクに浸漬した。約４０リットルの水をタンクに追加し、ｐＨ、温度、および濁度を記録したモニタリングユニットを通して水を循環させた。水の温度は約４０℃に維持した。ｐＨは約８に維持された。添加物３またはＢＣＰ２１７５を所定の濃度で添加した。水サンプルを定期的に収集し、元素硫黄、硫酸塩、硫化物、濁度、およびｐＨについて分析した。処理水にノズルを約３日間浸した後、ノズルを取り外し、オーブン内で乾燥させ、重量を測定した。初期重量と最終重量の間の差は、ノズルから除去された沈殿物の量である。
2020531645.tif 000008
【００７８】
本明細書に開示される任意の組成物は、本明細書に開示される化合物／成分のいずれかを含むか、それからなるか、または本質的にそれからなることができる。本開示によれば、「から本質的になる（ｃｏｎｓｉｓｔ  ｅｓｓｅｎｔｉａｌｌｙ  ｏｆ）」、「から本質的になる（ｃｏｎｓｉｓｔｓ  ｅｓｓｅｎｔｉａｌｌｙ  ｏｆ）」、「から本質的になること（ｃｏｎｓｉｓｔｉｎｇ  ｅｓｓｅｎｔｉａｌｌｙ  ｏｆ）」等の語句は、特許請求の範囲の範囲を、特定の材料または工程、および特許請求された発明の基本的かつ新規な特徴（複数可）に実質的に影響を及ぼさない材料または工程に限定する。
【００７９】
本明細書で使用される場合、「約」という用語は、それらのそれぞれの試験測定値において見出される標準偏差から生じる誤差内にある引用された値を指し、それらの誤差が決定できない場合、「約」は、引用された値の１０％以内を指す。
【００８０】
本発明において開示および特許請求される組成物および方法の全ては、本開示に照らして、過度の実験を伴うことなく作製および実行することができる。本発明は多くの異なる形態で具現化され得るが、本発明の特定の好ましい実施形態が、本明細書で詳細に説明される。本開示は、本発明の原理の例示であり、本発明を例解された特定の実施形態に限定することを意図するものではない。加えて、明示的に反対の言及がない限り、「ａ（ある１つの）」という用語の使用は、「少なくとも１つの」または「１つ以上の」を含むことを意図する。例えば、「ある１つの分散剤」は、「少なくとも１つの分散剤」または「１つ以上の分散剤」を含むことを意図する。
【００８１】
絶対項または近似項のいずれかで与えられる任意の範囲は、いずれも、それらの両方を包含することを意図するものであり、本明細書で使用されるいかなる定義も、明確にすることを意図するものであり、限定を意図するものではない。本発明の広範な範囲を明記する数値範囲およびパラメータは、近似値ではあるものの、特定の実施例で明記される数値は、可能な限り正確に報告されている。しかし、いかなる数値も、それらのそれぞれの試験測定値において見出される標準偏差に必然的に起因する特定の誤差を本質的に含有している。さらに、本明細書に開示される全ての範囲は、その中に包含されるあらゆるおよび全ての部分範囲（全ての小数値および全体値を含む）を包含するものとして理解されるべきである。
【００８２】
さらに、本発明は、本明細書に記載の様々な実施形態の一部または全部の、ありとあらゆる可能な組み合わせを包含する。また、本明細書に記載の本発明の好ましい実施形態に対する様々な変更および修正が、当業者にとって明らかであることも理解されるべきである。そのような変更および修正は、本発明の趣旨および範囲を逸脱することなく、かつその意図される利点を縮小することなく行うことができる。したがって、そのような変更および修正は、添付の特許請求の範囲によって網羅されることが意図される。
【図１】
2020531645.tif 000009
【図２】
2020531645.tif 000010
【国際調査報告】
2020531645.tif 000011
2020531645.tif 000012
2020531645.tif 000013